【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に第１の電圧を印加する機能を有し、
前記回路は、前記第１の液晶素子と第２の配線を導通状態とし、且つ前記容量素子と前記第２の配線を導通状態とすることにより、前記第１の液晶素子及び前記容量素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項２】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に第１の電圧を印加する機能を有し、
前記回路は、前記第２の液晶素子と第２の配線を導通状態とし、且つ前記容量素子と前記第２の配線を導通状態とすることにより、前記第２の液晶素子及び前記容量素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項３】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に第１の電圧を印加する機能を有し、
前記回路は、前記第１の液晶素子と第２の配線を導通状態とし、且つ前記第２の液晶素子と前記第２の配線を導通状態とすることにより、前記第１の液晶素子及び前記第２の液晶素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項４】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に、第１の電圧を印加する機能を有し、
前記回路は、前記容量素子と第２の配線を導通状態とすることにより、前記容量素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項５】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に、第１の電圧を印加する機能を有し、
前記回路は、前記第１の液晶素子と第２の配線を導通状態とすることにより、前記第１の液晶素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項６】
第１の液晶素子と、第２の液晶素子と、容量素子と、回路と、を有する画素が複数設けられた液晶表示装置であって、
前記回路は、前記第１の液晶素子と第１の配線を導通状態とし、前記第２の液晶素子と前記第１の配線を導通状態とし、且つ前記容量素子と前記第１の配線を導通状態とすることにより、前記第１の液晶素子、前記第２の液晶素子、及び前記容量素子に、第１の電圧を印加する機能を有し、
前記回路は、前記第２の液晶素子と第２の配線を導通状態とすることにより、前記第２の液晶素子に第２の電圧を印加する機能を有し、
前記回路は、前記第１の液晶素子と前記容量素子を導通状態とし、且つ前記第２の液晶素子と前記容量素子を非導通状態とする第１の状態と、前記第１の液晶素子と前記容量素子を非導通状態とし、且つ前記第２の液晶素子と前記容量素子を導通状態とする第２の状態と、を切り替える機能を有することを特徴とする液晶表示装置。
【請求項７】
第１の液晶素子と、
第２の液晶素子と、
一方の端子が第２の配線に電気的に接続された第１のスイッチと、
容量素子と、
一方の端子が前記第１のスイッチの他方の端子及び前記容量素子に電気的に接続され、他方の端子が前記第１の液晶素子に電気的に接続された第２のスイッチと、
一方の端子が前記第１のスイッチの他方の端子及び前記容量素子に電気的に接続され、他方の端子が前記第２の液晶素子に電気的に接続された第３のスイッチと、
一方の端子が前記第１のスイッチの他方の端子及び前記容量素子に電気的に接続され、他方の端子が第１の配線に電気的に接続された第４のスイッチと、
を有する画素が複数設けられていることを特徴とする液晶表示装置。
【請求項８】
第１の液晶素子と、
第２の液晶素子と、
一方の端子が第２の配線に電気的に接続された第１のスイッチと、
容量素子と、
一方の端子が前記第１のスイッチの他方の端子及び前記容量素子に電気的に接続され、他方の端子が前記第１の液晶素子に電気的に接続された第２のスイッチと、
一方の端子が前記第１のスイッチの他方の端子及び前記容量素子に電気的に接続され、他方の端子が前記第２の液晶素子に電気的に接続された第３のスイッチと、
一方の端子が前記第１のスイッチの他方の端子及び前記容量素子に電気的に接続され、他方の端子が第１の配線に電気的に接続された第４のスイッチと、
を含む複数の画素を有し、
前記第１の液晶素子及び前記第２の液晶素子を駆動するための電圧の印加状態を制御する信号により前記第１のスイッチを制御する第１の走査線と、
前記容量素子と前記第１の液晶素子との電気的接続を制御する信号により第２のスイッチを制御する第２の走査線と、
前記容量素子と前記第２の液晶素子との電気的接続を制御する信号により第３のスイッチを制御する第３の走査線と、
前記容量素子と前記第１の配線との電気的接続を制御する信号により第４のスイッチを制御する第４の走査線と、
が設けられていることを特徴とする液晶表示装置。
【請求項９】
請求項１乃至８のいずれか一において、
前記第１のスイッチ乃至前記第４のスイッチはそれぞれ、薄膜トランジスタを有することを特徴とする液晶表示装置。
【請求項１０】
請求項１乃至９のいずれか一において、
前記液晶素子は、画素電極と、共通電極と、前記画素電極及び前記共通電極に制御される液晶と、を有することを特徴とする液晶表示装置。
【請求項１１】
請求項１乃至１０のいずれか一に記載の液晶表示装置を具備することを特徴とする電子機器。